(57)【要約】【課題】  流し台の扉や引き出しが無くても包丁を収納することができ、しかも包丁を安定的に且つ安全に収納しておくことができるようにする。【解決手段】  略方形板状の基板２と、基板２の前面に設けられた両側壁５、上壁４および下壁６と、これら壁４〜６によって形成された前側開口を塞ぐ蓋９とによって包丁収納部３が形成され、両側壁５間には基板２側から蓋９側に向かって低くなる傾斜状となされた仕切り壁１３が上下方向に一定間隔をあけて設けられ、両側壁１３における各仕切り壁１３の取り付け部間には、基板２側から蓋９側に向かって低くなる傾斜状スリット１２が形成されており、各傾斜状スリット１２に包丁１４の刃部１４ａを差し入れることにより、包丁収納部３における各仕切り壁１３間に包丁１４の刃部１４ａが収容されるようになされている。【選択図】  図６
2009090036.tif 000002
【特許請求の範囲】
【請求項１】
略方形板状の基板と、基板の前面に設けられた両側壁、上壁および下壁と、これら壁によって形成された前側開口を塞ぐ蓋と、両側壁間に渡し止められ且つ基板側から蓋側に向かって低くなる傾斜状となされた仕切り壁と、両側壁における各仕切り壁の取り付け部間に形成され、基板側から蓋側に向かって低くなる傾斜状スリットとを備えており、前記仕切り壁は上壁と下壁間に一定間隔をあけて設けられており、基板前面における両側壁、上下壁および蓋によって、包丁収納部が形成され、各傾斜状スリットに包丁の刃部を差し入れることにより、各仕切り壁間に包丁の刃部が収容されるようになされている、包丁収納器。
【請求項２】
両側壁および下壁の各前縁が上壁の前縁より前方に突出しており、両側壁の内面前縁と蓋の両側縁の一方に嵌合凹溝が形成され、他方には嵌合凹溝に嵌め入れられる嵌合凸部が形成されている、請求項１記載の包丁収納器。
【請求項３】
基板の周縁部寄り部分に、釘を通したり、吸盤を取り付けるための円形孔が形成されている、請求項１または請求項２記載の包丁収納器。
【請求項４】
蓋の前面に指を掛けるための指掛け部が設けられている、請求項１〜請求項３のうちのいずれか一項記載の包丁収納器。
【発明の詳細な説明】
【技術分野】
【０００１】
本発明は、複数本の包丁を収納することができる包丁収納器に関する。  
【背景技術】
【０００２】
一般に、包丁を収納する装置としては、台所の流し台の扉の内面に水平な板状体が一体に取り付けられ、該板状体に包丁を差し入れるためのスリットが複数並設されたものが知られているが、流し台のない場所で包丁を使う場合には、包丁が刃物であるため、安全上、その置き場所に困るのが実情である。
【０００３】
また、前述したように、流し台の扉における板状体のスリットに包丁を差し入れておく場合でも、流し台の扉を開閉する度に包丁が揺れて不安定である上、隣り合う包丁同士がぶつかって不快な音がする等の不都合があった。
【０００４】
このような不都合を解消するために、流し台の引き出しの前板後面に略箱型の本体ケースを取り付け、その上壁に左右方向に伸びるスリットを設け、前記本体ケースの深さを包丁の刃部の長さよりも浅くすることで、包丁を斜めに差し入れるようにしたものも開発されている。
【特許文献１】特開２００１−３１４３３５号公報
【発明の開示】
【発明が解決しようとする課題】
【０００５】
前述した包丁収納ケースの場合、包丁の刃先が本体ケースの底部に当接するため、引き出しの前後移動に対して包丁が前後に振れ難いものの、２本の包丁をＸ状に差し入れた場合、引き出しの開閉に伴ってやはり包丁同士がぶつかることがある上、柄の部分が比較的長くて重い包丁の場合、引き出しの開閉に伴って柄の基部を支点として包丁が上下方向に振れて不安定になるおそれがあった。
【０００６】
本発明の目的は、流し台の扉や引き出しが無くても包丁を収納することができ、しかも包丁を安定的に且つ安全に収納しておくことができる包丁収納器を提供することにある。
【課題を解決するための手段】
【０００７】
請求項１記載の本発明は、略方形板状の基板と、基板の前面に設けられた両側壁、上壁および下壁と、これら壁によって形成された前側開口を塞ぐ蓋と、両側壁間に渡し止められ且つ基板側から蓋側に向かって低くなる傾斜状となされた仕切り壁と、両側壁における各仕切り壁の取り付け部間に形成され、基板側から蓋側に向かって低くなる傾斜状スリットとを備えており、前記仕切り壁は上壁と下壁間に一定間隔をあけて設けられており、基板の前面における両側壁、上下壁および蓋によって包丁収納部が形成され、各傾斜状スリットに包丁の刃部を差し入れることにより、包丁収納部における各仕切り壁間に包丁の刃部が収容されるようになされている包丁収納器である。
【０００８】
請求項２記載の本発明は、前記請求項１記載の包丁収納器について、両側壁および下壁の各前縁が上壁の前縁より前方に突出しており、両側壁の内面前縁と蓋の両側縁の一方に嵌合凹溝が形成され、他方には嵌合凹溝に嵌め入れられる嵌合凸部が形成されていることを特徴とするものである。
【０００９】
請求項３記載の本発明は、前記請求項１または請求項２記載の包丁収納器について、基板の周縁部寄り部分に、釘を通したり、吸盤を取り付けるための円形孔が形成されていることを特徴とするものである。
【００１０】
請求項４記載の本発明は、前記請求項１〜請求項３のうちのいずれか一項記載の包丁収納器について、蓋の前面に指を掛けるための指掛け部が設けられていることを特徴とするものである。
【発明の効果】
【００１１】
本発明の包丁収納器によれば、流し台の扉や引き出しがない場所でも包丁を収納しておくことができる。
【００１２】
また、包丁はその刃部が本発明の包丁収納器における仕切り壁間に安定的に収容され、しかも蓋によって包丁の刃部が露出することがないため、安全である。
【００１３】
この他、基板の周縁部に円形孔を設けた本発明の包丁収納器によれば、当該包丁収納器を任意の場所の壁面に取り付けておくことができるという利点がある。
【００１４】
更に、蓋の前面に指掛け部を設けた本発明の包丁収納器によれば、蓋を容易に上方へスライドさせて包丁収納部を開けることができるという利点がある。
【００１５】
また、仕切り壁は傾斜状となされているため、水平状の場合に比べて包丁収納部の厚みを薄くすることができる。
【発明を実施するための最良の形態】
【００１６】
次に、本発明に係る包丁収納器の実施形態を図面にしたがって説明するが、本発明はかかる実施形態に限定されるものではない。
【００１７】
図１および図２に示すように、包丁収納器１は、正面から見て略方形の基板２と、基板２の前面に形成された全体が箱型の包丁収納部３とを有している。
【００１８】
基板２は、その四隅２ａが円弧状となされ、周縁部には釘を通りしたり、吸盤を取り付けるための複数の円形孔１０が所定間隔をあけて形成されている。
【００１９】
図１〜図３に示すように、包丁収納部３は、上壁４と、両側壁５と、下壁６と、両側壁５の内面前縁に形成された嵌合凹溝７に嵌め入れられる嵌合凸部８を両側縁に有する蓋９とを備えている。より詳細には、両側壁５と下壁６の各前縁５ａ・６ａが上壁４の前縁４ａよりも前方に突出しており、前記嵌合凹溝７は両側壁５の内面における突出した前縁５ａに形成されている。蓋９の中央上部には、指を引っ掛けて当該蓋９を上方にスライドさせて該蓋９を開けるための略滴形の窪み１１が形成されている。また、両側壁５にはその基板２側から蓋９側へ下がった形態の傾斜状スリット１２が形成されている。
【００２０】
図４は図１に示された包丁収納器１における蓋９を取り外した状態の図であり、基板２から蓋９側へ下がった形態の複数の傾斜状仕切り壁１３が一定間隔をあけて設けられており、本実施形態では、図５に示すように、傾斜状仕切り壁１３と傾斜状スリット１２は平行であって、両側壁５において、上下に隣り合う傾斜状仕切り壁１３の取り付け部間に傾斜状スリット１２が形成されている。
【００２１】
本実施形態に係る包丁収納器１に包丁を収納する場合、図６に示すように、包丁１４の刃１４ａを上にして、該包丁１４を傾斜状スリット１２から差し入れることにより、包丁１４の刃部１４ａが包丁収納部３内に収容され、包丁１４の柄１４ｂが包丁収納部３の側方に出た状態となる。そして、蓋９が装着された状態では、包丁１４の刃部１４ａは包丁収納部３内に収容され、刃部１４ａが外部に露出していない状態であるため、刃部１４ａによってケガをするおそれもない。また、包丁１４は、包丁収納部３の右側から差し入れても良いし、左側から差し入れても良い。
【産業上の利用可能性】
【００２２】
本発明の包丁収納器は、流し台がない任意の場所の壁面に取り付けて使用することができるため、幅広い利用が期待できる。
【図面の簡単な説明】
【００２３】
【図１】実施形態に係る
【図２】包丁収納器の平面図である。
【図３】包丁収納器の側面図である。
【図４】蓋を外した状態の包丁収納器の正面図である。
【図５】包丁収納器の中央縦断面図である。
【図６】図４において、包丁が収納された状態を示す正面図である。
【符号の説明】
【００２４】
１  包丁収納器
２  基板
３  包丁収納部
４  上壁
５  両側壁
６  下壁
７  嵌合凹溝
８  嵌合凸部
９  蓋
１２  傾斜状スリット
１３  傾斜状仕切壁
【図１】
2009090036.tif 000003
【図２】
2009090036.tif 000004
【図３】
2009090036.tif 000005
【図４】
2009090036.tif 000006
【図５】
2009090036.tif 000007
【図６】
2009090036.tif 000008